(57)【要約】      （修正有）【課題】清掃面上の貴重品や人形・飾り物・道具類・紙・布・洋服類など大切な物等を吸着・吸い込み・損傷等の支障をきたし清掃作業を中断させ妨げとなる。その為に清掃面上をかたづけたり置いて有る物等の移動除去などの事前作業が必要である、本吸塵ノズルはそれ等の物や重い塵芥等の吸引を敢えて不可能にして、軽いチリ・ホコリ等塵埃のみを主に吸引するようにして、吸着・吸い込み等を阻止して吸塵清掃を安全スムーズに行える様にした吸塵ノズル。【解決手段】ノズルの本体１に設置された羽根刷毛９、１０で清掃面上のチリ・ホコリ等塵埃を掻きはらい、ノズルの本体と羽根刷毛を覆い被せるように設置した集塵カバー２、３によって塵埃等の飛散を防ぎ、集塵カバー深部奥の吸引孔４、５によって吸塵する事で、清掃面上に有する貴重品や道具類・紙・布等大切な物等の吸着・吸い込みや損傷等を防ぎ、安全スムーズに吸塵清掃が行える吸塵ノズル。【選択図】図１
2017158995.tif 000002
【特許請求の範囲】
【請求項１】
掃除機の吸引部に装着して使用する中空状の吸塵ノズルでありその一端は吸引部に連結可能な構造を有しその外周面には一個以上の吸引孔が所定の間隔を有して開孔しており、さらに略メガホン状の集塵カバーをノズルの本体と前記吸引孔を覆い被せるように設置し、かつ前記ノズルの本体又は前記集塵カバーの内側に略羽根刷毛一個以上を前記集塵カバーの下部開口面から刷毛の先端部を突出させて設置する事で、清掃面の塵埃を掻きはらいながら吸塵掃除ができる事を特徴とする吸塵ノズル。
【請求項２】
吸引量を調整した口径の前記吸引孔を前記ノズルの本体の数箇所に空ける事によって前記吸引量を分散させると共に、前記集塵カバー下部の縁辺が接触する清掃面と前記吸引孔との間に距離ができて吸引力を緩和して重い塵芥や机上・卓上・棚等に置いてある物等の吸着・吸い込み・損傷等を阻止できる事を特徴とする請求項１に係る吸塵ノズル。
【請求項３】
前記略メガホン状の前記集塵カバー一枚以上を前記ノズルの本体に覆い被せるように記置する事で、前記集塵カバーの下部縁辺が接触する清掃面と前記吸引孔との間の前記集塵カバー内に吸引導入路空間が一箇所以上形成されて集塵と吸塵効率を増進し飛散しようとする塵埃等の飛散を防ぐことを特徴とする請求項１または２に係る吸塵ノズル。
【請求項４】
前記略羽根刷毛一個以上を前記集塵カバー内の一箇所以上の位置に前記集塵カバーの開口面か刷毛の先端を突出させて設置し清掃面の塵埃等を掻きはらい、前記集塵カバー内に浮き上がらせて前記吸引孔により吸塵を容易にできることを特徴とする請求項１，２，または３に係る吸塵ノズル。
【請求項５】
前記略羽根刷毛は鳥の羽根又は、人工製ブラシ又は、鳥の羽根と前記人工製ブラシを混ぜた混成刷毛であり、刷毛の形状及び大きさを使用の用途・場所に応じて合う様に変えた数種類の刷毛を脱着取り替えが可能な構造にした事を特徴とする請求項１，２，３または４に係る吸塵ノズル。
【請求項６】
前記集塵カバーは弾力性のあるソフトな素材を用いる、特に前記集塵カバー縁辺をよりソフトにする事で清掃面上にある物や清掃する表面等の損傷や破損を防げる事を特徴とする請求項１，２，３，４，または５に係る吸塵ノズル。
【請求項７】
前記集塵カバーの形状は前記メガホン状以外のドーム状又は屋根状等必要に応じた形状のものに替えられる事が特徴とする請求項１，２，３，４，５または６に係る吸塵ノズル。
【発明の詳細な説明】
【発明の概要】
【発明が解決しようとする課題】
【０００１】本発明の吸塵ノズルは、掃除機に装着して清掃面上の軽い小さなチリ・ホコリ等塵埃を主に吸引するアタッチメントノズルです、従来の掃除機用ノズルは、清掃面の塵芥等を強制的に強く吸引する事に重点をおいたものであり吸引清掃を行おうとすると様々な間題が発生する。【０００２】人間が生活するあらゆる場所に塵は充満しており、部屋・仕事場等生活空間には目に見えない塵埃や雑菌等が机上・卓上・棚等に有る貴重品や人形・飾り物・楽器・道具類・紙・布・洋服等大切な物に降塵して付着しており吸塵清掃を行おうとすると、それ等の物を吸着・吸い込み  損傷等が発生して清掃作業に支障をきたし作業を中断させる妨げとなり吸塵清掃をスムーズに行う事が難しい。【０００３】そのために清掃面上の前述した物等を片づけたり移動除去する事前作業を行う必要があるが、本吸塵ノズルはこれ等の煩わしい作業をなくし日常そのまゝの状態で吸塵清掃を行っても何等の支障をきたす事なく安心して吸塵作業が行えるかが最大の課題である。【０００４】本吸塵ノズルは敢えて重い塵芥等や物などの吸引を不可能にして、軽いチリ・ホコリ等塵埃等を主に吸引する事に重点をおき吸塵清掃が安全スムーズに行えるようにする。
【課題を解決する為の手段】
【０００５】掃除機の吸引部に装着して使用する中空状の吸塵ノズルでありその一端は吸引部に連結可能な構造を有しその外周面には一個以上の吸引孔が所定の間隔を有して開孔しており、さらに略メガホン状の集塵カバーをノズルの本体と前記吸引孔を覆い被せるように設置し、かつ前記ノズルの本体又は前記集塵カバーの内側に、略羽根刷毛一個以上を前記集塵カバーの下部開口面から刷毛の先端部を突出させて設置する事で、清掃面の塵埃を掻きはらいながら吸塵清掃ができる事を特徴とし、ノズルの本体１は課題を解決するための機能と構造を持った各部のパーツを設置する役割を持った腕木であり吸引孔を有する主要部となる本体の基礎部である。
【０００６】吸引量を調整した口径の前記吸引孔を前記ノズの本体の数箇所に空ける事によって前記吸引量を分散させると共に前記集塵カバー下部の縁辺が接触する清掃面と前記吸引孔との間に距離ができて吸引力を緩和して重い塵芥や机上・卓上・棚等に置いてある物等の吸着・吸い込み・損傷等を阻止できる事を特徴とし敢えて軽い塵埃等を主に吸塵する。
【０００７】前記略メガホン状の前記集塵カバー一枚以上を、前記ノズルの本体に覆い被せるように設置する事で、前記集塵カバーの下部縁辺か接触する清掃面と前記吸引孔との間の前記集塵カバー内に吸引導入路空間が一箇所以上形成されて集塵と吸塵効率を増進し飛散しようとする塵埃等の飛散を防ぐことを特徴とするもので、吸引孔４の位置から外側寄りにある吸引孔６の脇に集塵カバー（小）３を設置し、集塵カバーを二重以上にする事で集塵カバー（大）２と集塵カバー（小）の間に隙間的吸引導入路空間１５と集塵カバー（小）３内側の吸引導入路空間１６が増成されて吸塵効果を上げられる。
【０００８】前記略羽根刷毛一個以上を前記集塵カバー内の一箇以上の位置に前記集塵カバーの開口面から刷毛の先端を突出させて記置し清掃面の塵埃等を掻きはらい、前記集塵カバー内に浮き上がらせて前記吸引孔により吸塵を容易にできる事が特徴であり、集塵カバー（小）３内部のノズルの本体１の取り替えが可能な構造を持った位置１１，１２に羽根刷毛９，１０を設置して、清掃面を抑え保護しながら清掃面上の塵埃等を掻きはらい吸塵清掃を行う。
【０００９】前記略羽根刷毛は鳥の羽根又は、人工製ブラシ又は、鳥の羽根と人工製ブラシを混ぜた混成刷毛であり、刷毛の形状及び大きさを使用の用途・場所に応じて合う様に変えた数種類の刷毛を脱着取り替えが可能な構造にした事を特徴とし、さらに前記集塵カバーの形状は前記略メガホン状以外のドーム状又は、屋根状等必要に応じた形のものに替えられる事を特徴としている。
【００１０】前記集塵カバーは弾力性のあるソフトな素材を用いる、特に前記集塵カバー縁辺１８をよりソフトにする事で清掃面上にある物や清掃する表面等の損傷や破損を防げる事を特徴とするもので、清掃中に集塵カバー２，３が触れる全ての清掃面を保護しながら安心して吸塵清掃ができる。さらにカバーの先端部を角状にする事でコーナー等の清掃が効果的に良くなる。上述のように、各機能と構造をもったパーツ類を構成して造られた吸塵ノズルであり、清掃中に発生する吸着・吸い込みや損傷等の障害を心配する事なく吸塵清掃が行える。
【発明の効果】
【００１１】上述してきたように、従来の清掃機用吸引ノズルを使って塵埃等の吸塵清掃を行おうとすると、清掃面上の物を吸着・吸い込み・損傷等が発生して吸塵清掃のできない場所が多い、本発明の吸塵ノズルは敢えて重い塵芥や物等の吸引を不可能にして軽いチリ・ホコリ等塵埃を主に吸塵できるようにした事であらゆる場所どんな場所でも吸着・吸い込み等の心配をする事なく安心して吸塵清掃ができる。
【図面の簡単な説明】
【００１２】
【図１】本発明の実施形能を示す吸塵ノズルの低面図
【図２】図１におけるＡ−Ａ線の断面図
【図３】図２の側面図
【図４】図１を斜め下方から見た外観図
【図５】本吸塵ノズルの形能以外に考えられる参考例図
【発明を実施する為の形態】
【００１３】前記吸塵ノズルは、市販されているほとんどの掃除機に装着して使用が可能であり、特にコードレスハンドクリーナーに装着する事でより便利に使える。
【００１４】前記ノズルの本体１は本発明の課題を解決する吸塵ノズルを組成するための機能を持った各部のパーツ類を設置する腕木であり吸引孔４〜８を有する中空状のノズルであり主要部となる基礎部である。
【００１５】吸引量を調整した口径の吸引孔４〜８をノズルの本体１の数箇所に開孔し吸引量を分散して吸引力を緩和させ、敢えて軽いチリ・ホコリ等塵埃のみを主に吸引するようにして、清掃面上の重い塵芥や大切な物等の吸引を不可能にして吸着・吸い込みや損傷等を防ぐようにした吸塵ノズル。
【００１６】集塵カバー（大）２を吸引孔４の脇の位置にノズルの本体１と羽根刷毛９，１０を覆い被せる様に設置する事で、集塵カバー（大）２の縁辺２０と、カバー深部奥の吸引孔４との間に路離ができて、吸引導入路空間１５が形成されて飛散しようとする塵埃等のみを吸塵し、重い塵芥や大切な物等の吸着・吸い込みや損傷等を防ぐ事ができる。
【００１７】さらに、吸引孔６の脇に集塵カバー（小）３を設置する事で、集塵カバー（大）２の内側の吸引導入路空間１５を分断し隙間的吸引導入路空間１７が形成され、尚かつ集塵カバー（小）３の内側にも吸引導入路空間１６が増成され吸引効果を増強できる。
【００１８】集塵カバー（小）３の内側に羽根刷毛９，１０を設置して、清掃面を抑えながら保護して塵埃等を掻きはらい吸塵を増強させる。
上述のように、本吸塵ノズルを使う事で清掃面上を日常そのまゝの状態で吸塵清掃を行っても清掃面上の物や表面の吸着・吸い込みや損傷等の支障をきたす事なく安心して吸塵清掃ができる。
【符号の説明】
【００２１】１  ノズルの本体
２  集塵カバー（大）
３  集塵カバー（小）
４〜８  吸引孔
９〜１０  羽根刷毛
１１  羽根刷毛（大）の脱着可能な構造を持つ設置位置
１２  羽根刷毛（小）の脱着可能な構造を持つ設置位置
１３  集塵カバー（大）の設位置
１４  集塵カバー（小）の設位置
１５  集塵カバー（大）の内側の吸引導入路空間
１６  １５を分断して増成された吸引導入路空間
１７  羽根刷毛の中心部に混成した人工製ブラシ
１８  集塵カバー（大）の縁辺
１９  羽根の間に混成した人工製ブラシ
【図１】
2017158995.tif 000003
【図２】
2017158995.tif 000004
【図３】
2017158995.tif 000005
【図４】
2017158995.tif 000006
【図５】
2017158995.tif 000007